Podtech/llm-jp-corpus-v4-ja_patent huggingface dataset:
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
半導体産業又はＭＥＭＳ産業で使用される種類のプラズマに耐食性のある耐食性接合セラミックス部品であって、
セラミックス部品の少なくとも２つの部分と、前記セラミックス部品の少なくとも２つの部分と接触する金属フッ化物含有接合剤を含む接合領域を含み、少なくとも１つの遷移領域が、前記接合剤と、前記接合剤と接触しているセラミックス部品の前記少なくとも２つの部分のそれぞれとの間に存在し、前記遷移領域は、少なくとも０．１体積％のアモルファス相から約５０体積％までのアモルファス相を含む耐食性接合セラミックス部品。
【請求項２】
前記金属フッ化物含有接合剤内の前記金属フッ化物は、ＹＦ３、ＮｄＦ３、ＡｌＦ３、ＺｒＦ４、ＳｍＦ３、ＣｅＦ３、ＤｙＦ３、ＧｄＦ３、ＩｎＦ３、ＬａＦ３、ＴｈＦ４、ＴｍＦ３、ＹｂＦ３、ＢａＦ２、ＣａＦ２、及びそれらの組み合わせから成る群から選択される請求項１記載の耐食性接合セラミックス部品。
【請求項３】
前記金属フッ化物含有接合剤は、Ａｌ２Ｏ３、Ｙ２Ｏ、ＭｇＯ、ＺｒＯ２、Ｎｄ２Ｏ３、ＣｅＯ２、Ｓｍ２Ｏ３、Ｅｒ２Ｏ３、Ｓｃ２Ｏ３、Ｌａ２Ｏ３、ＨｆＯ２、Ｎｂ２Ｏ５、ＳｉＯ２、及びＮａ２ＣＯ３から成る群から選択される金属酸化物も含む請求項１又は請求項２記載の耐食性接合セラミックス部品。
【請求項４】
前記金属フッ化物含有接合剤内には、少なくとも１つの添加剤が存在し、前記添加剤は、Ｎｄ２Ｏ３、ＮｄＦ３、ＣｅＯ２、ＣｅＦ３、Ｓｍ２Ｏ３、ＳｍＦ３、Ｅｒ２Ｏ３、ＥｒＦ３、ＡｌＦ３、Ｓｃ２Ｏ３、ＳｃＦ３、Ｌａ２Ｏ３、ＬａＦ３、ＨｆＯ２、ＨｆＦ４、Ｎｂ２Ｏ５、ＮｂＦ５、ＺｒＯ２、ＺｒＦ４、ＭｇＯ、ＳｉＯ２、Ｎａ２ＣＯ３、及びそれらの組み合わせから成る群から選択される請求項１記載の耐食性接合セラミックス部品。
【請求項５】
前記金属フッ化物含有接合剤内に存在する前記酸化物及び前記金属フッ化物に加えて、Ｎｄ２Ｏ３、ＣｅＯ２、Ｓｍ２Ｏ３、Ｅｒ２Ｏ３、ＥｒＦ３、Ｓｃ２Ｏ３、ＳｃＦ３、Ｌａ２Ｏ３、ＬａＦ３、ＨｆＯ２、ＨｆＦ４、Ｎｂ２Ｏ５、ＮｂＦ５、ＺｒＯ２、ＭｇＯ、ＳｉＯ２、Ｎａ２ＣＯ３、及びそれらの組み合わせから成る群から選択される少なくとも１つの添加剤が存在する請求項３記載の耐食性接合セラミックス部品。
【請求項６】
前記金属フッ化物含有接合剤は、懸濁媒体中の金属酸化物及び金属フッ化物のスラリーから形成され、前記接合剤を前記セラミックス部品の前記少なくとも２つの部分と混焼することによって、前記金属酸化物及び金属フッ化物の体積％は、約１０％〜約５０％の範囲にある請求項１又は請求項２記載の耐食性接合セラミックス部品。
【請求項７】
前記接合剤は、懸濁媒体中の金属酸化物及び金属フッ化物のスラリーから形成され、前記接合剤を前記セラミックス部品の前記少なくとも２つの部分と混焼することによって、前記金属酸化物及び金属フッ化物の体積％は、約１０％〜約５０％の範囲にある請求項３記載の耐食性接合セラミックス部品。
【請求項８】
ガラスセラミックス接合層を含み、前記ガラスセラミックス接合層内のガラス相は、前記ガラスセラミックス接合層の約０．１体積％〜約５０体積％の範囲にあり、前記ガラス相はフッ素を含み、前記セラミックス相は、Ｎｄ、Ｃｅ、Ｓｍ、Ｅｒ、Ａｌ、Ｙ、Ｓｃ、Ｌａ、Ｈｆ、Ｎｂ、Ｚｒ、Ｍｇ、Ｓｉ、Ｇｄ、Ｔｍ、Ｄｙ、Ｙｂ、Ｂａ、Ｎａ、及びそれらの組み合わせから成る群から選択される元素を含む反応性プラズマに耐性をもつ接合セラミックス部品。
【請求項９】
パターニングされた構造を作るために、半導体産業又はＭＥＭＳ産業で使用される種類の腐食性プラズマに対して耐性をもつセラミックス部品の部分を共に接合する方法であって、
ＹＦ３、ＮｄＦ３、ＡｌＦ３、ＺｒＦ４、ＳｍＦ３、ＣｅＦ３、ＤｙＦ３、ＧｄＦ３、ＩｎＦ３、ＬａＦ３、ＴｈＦ４、ＴｍＦ３、ＹｂＦ３、ＢａＦ２、ＣａＦ２、及びそれらの組み合わせから成る群から選択される金属フッ化物を含む接合剤によって接合されるセラミックス部品の前記部分の領域に接触させるステップを含み、前記接合剤は、前記セラミックス部品と前記接合剤の間に遷移領域を形成し、遷移領域は、前記セラミック部品の前記部分と混焼されたときにガラス又はガラスセラミックスを含み、前記遷移領域は、少なくとも０．１体積％のアモルファス相から約５０体積％までのアモルファス相を、ＣＦ４−ＣＨＦ３エッチングプラズマへの曝露時に、Ａｌ２Ｏ３に対して正規化された浸食レートが約１．２８未満を示し、これによって前記ガラス又はガラスセラミックスの接合層によって互いに接着された前記セラミックス部品の前記部分が接合遷移領域の不良を防ぐために、半導体産業で使用される腐食性エッチングプラズマに対して十分な耐性をもっている方法。
【請求項１０】
前記接合剤は前記金属フッ化物と共に金属酸化物を含み、前記接合遷移領域はガラスセラミックスを含む請求項９記載の方法。
【請求項１１】
前記方法によって形成された前記接合遷移領域は、少なくとも０．１体積％のガラスから約５０体積％のガラスまでの範囲にわたるガラス相を含むガラスセラミックスである請求項１０記載の方法。
【請求項１２】
前記金属酸化物は、Ｙ、Ａｌ、Ｎｄ、Ｃｅ、Ｓｍ、Ｅｒ、Ｓｃ、Ｌａ、Ｈｆ、Ｎｂ、Ｚｒ、Ｍｇ、Ｓｉ、Ｇｄ、Ｔｍ、Ｙｂ、Ｂａ、Ｎａ、及びそれらの組み合わせから成る群から選択される元素を含み、前記方法から形成された前記接合層は、前記元素の少なくとも１つの酸化物を含む請求項１０又は請求項１１記載の方法。
【請求項１３】
前記接合剤は、前記セラミックス部品の前記部分と相互作用した又は前記部分内に拡散したガラスを形成し、これによって前記界面の前記セラミックス部分の組成が前記セラミックス部品に依存するガラスセラミックス遷移界面を形成する請求項９記載の方法。
【請求項１４】
前記接合剤は、前記セラミックス部品の部分と反応して、前記界面の前記セラミックス部分の組成が、前記接合剤の組成と前記セラミックス部品の組成の両方に依存しているガラスセラミックス遷移界面を形成する請求項９記載の方法。
【請求項１５】
前記接合層は、Ｎｄ２Ｏ３、ＮｄＦ３、ＣｅＯ２、ＣｅＦ３、Ｓｍ２Ｏ３、ＳｍＦ３、Ｅｒ２Ｏ３、ＥｒＦ３、ＡｌＦ３、Ｓｃ２Ｏ３、ＳｃＦ３、Ｌａ２Ｏ３、ＬａＦ３、ＨｆＯ２、ＨｆＦ４、Ｎｂ２Ｏ５、ＮｂＦ５、ＺｒＯ２、ＺｒＦ４、ＭｇＯ、ＳｉＯ２、Ｎａ２ＣＯ３、及びそれらの組み合わせから成る群から選択される添加剤を含み、前記添加剤は、前記接合剤の物理的又は機械的特性を変えるのに十分な量、前記接合剤内に存在し、これによって前記ガラス又はガラスセラミックスの接合層によって互いに接着している前記セラミックス部品の前記部分は、腐食性エッチングプラズマに対して耐性をもちながら、前記接合層の機械的特性が改善される請求項１３又は請求項１４記載の方法。
【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
イットリウムベースのフッ化物結晶相、又はイットリウムベースのオキシフッ化物結晶相、又はオキシフッ化物アモルファス相、又はそれらの組み合わせを含む焼結された混合物を含み、前記コーティングは約１６００℃よりも高い融点を有する表面上に存在する、ハロゲン含有プラズマに抵抗力をもつ保護コーティング混合物。
【請求項２】
追加の結晶相化合物が存在し、前記追加の結晶相化合物は、ネオジウム、セリウム、サマリウム、エルビウム、アルミニウム、スカンジウム、ランタン、ハフニウム、ニオブ、ジルコニウム、イッテルビウム、ハフニウム、及びこれらの元素の少なくとも１つの酸化物、フッ化物、又はオキシフッ化物の組み合わせの、酸化物、フッ化物、又はオキシフッ化物から成る群から選択されるドーパントの存在による前記混合物の焼結の間に形成される請求項１に係る保護コーティング混合物。
【請求項３】
前記コーティング混合物の前記結晶部分は、重量で約７０％から重量で１００％未満の範囲にある請求項１に係る保護コーティング混合物。
【請求項４】
半導体処理装置の部品であって、前記部品の表面は、半導体処理の間にハロゲン含有反応性プラズマに曝露され、前記部品は、
約１６００℃よりも高い融点をもつセラミックス又はガラス基板と、
前記基板の少なくとも１つの面上に適用された保護コーティングを含み、前記コーティングは、少なくとも１つのイットリウムベースのフッ化物結晶相、又は少なくとも１つのイットリウムベースのオキシフッ化物結晶相、又はイットリウム及びフッ素を含む少なくとも１つのアモルファス相、又はそれらの組み合わせを含む部品。
【請求項５】
前記基板は、酸化アルミニウム、窒化アルミニウム、石英、炭素珪素、窒化珪素、及びそれらの組み合わせから選択される請求項４記載の部品。
【請求項６】
前記保護コーティングは、前記コーティングの上面近くにマトリックス領域を含み、前記マトリックス領域は、ネオジウム、セリウム、サマリウム、エルビウム、アルミニウム、スカンジウム、ランタン、ハフニウム、ニオブ、ジルコニウム、イッテルビウム、ハフニウム、及びこれらの元素の少なくとも１つの酸化物、フッ化物、又はオキシフッ化物の組み合わせの、酸化物、フッ化物、又はオキシフッ化物から成る群から選択される結晶粒を含む請求項４記載の部品。
【請求項７】
前記結晶粒は、約７０重量％から１００重量％未満までの範囲の濃度で存在する請求項６記載の部品。
【請求項８】
前記コーティングの上面近くの前記マトリックス領域と前記基板の間に遷移マトリックス領域が存在し、前記遷移マトリクス領域はフッ化アルミニウムを含む請求項６記載の部品。
【請求項９】
半導体処理装置の部品であって、前記部品の表面は、半導体処理の間にハロゲン含有反応性プラズマに曝露され、前記構造は、
全体に均一な混合物を有する固体構造を含み、前記混合物は、酸化イットリウム、フッ化イットリウム、オキシフッ化イットリウム、及び、ネオジウム、セリウム、サマリウム、エルビウム、アルミニウム、スカンジウム、ランタン、ハフニウム、ニオブ、ジルコニウム、イッテルビウム、ハフニウム、及びこれらの組み合わせの、酸化物、フッ化物、又はオキシフッ化物から成る群から選択される少なくとも１つの追加の化合物から成る群から選択される結晶粒を含む部品。
【請求項１０】
前記固体構造は、イットリウム及びフッ素を含むアモルファス相も含む請求項９記載の部品。
【請求項１１】
半導体プラズマ処理装置内で使用される部品の面上に保護コーティングを形成する方法であって、
ａ）前記基板の少なくとも１つの面上に懸濁液中に粉末を含むスラリーを適用し、これによって前記少なくとも１つの面上にコーティングを提供するステップであって、前記粉末はフッ化イットリウム、オキシフッ化イットリウム、又はこれらの組み合わせを含み、前記基板は約１６００℃よりも高い融点を有するように選択されるステップと、
ｂ）前記基板の前記少なくとも１つの面上に存在する前記コーティングを焼結し、これによってオキシフッ化物含有アモルファス相と共に、イットリウムベースのフッ化物結晶相、又はイットリウムベースのオキシフッ化物結晶相を含む焼結されたコーティングを生成するステップであって、前記オキシフッ化物含有アモルファス相は、前記焼結された組成物を４．５モル％以上含有し、これによって前記保護コーティング構造は、前記コーティングを通り抜けるクラックの伝播を妨げるステップを含む方法。
【請求項１２】
前記粉末は、ネオジウム、セリウム、サマリウム、エルビウム、アルミニウム、スカンジウム、ランタン、ハフニウム、ニオブ、ジルコニウム、イッテルビウム、ハフニウム、及びこれらの元素の少なくとも１つの酸化物、フッ化物、又はオキシフッ化物の組み合わせの、酸化物、フッ化物、又はオキシフッ化物から成る群から選択されるドーパントを含む請求項１１記載の方法。
【請求項１３】
前記スラリーは、約１４００℃の温度で、約１２０分から約１８０分に及ぶ時間の間のドウェル時間を含む時間温度プロファイルを用いて焼結される請求項１１又は請求項１２記載の方法。
【請求項１４】
前記焼結は、アルゴンが流れる環境で行われる請求項１３記載の方法。
【請求項１５】
前記焼結は、酸素を含む環境で行われる請求項１３記載の方法。
【請求項１６】
半導体プラズマ処理装置内で使用される部品の面上に、耐クラック構造を提供する保護コーティングを形成する方法であって、
前記保護コーティングは、少なくとも１つのフッ化物含有アモルファス相と共に、少なくとも１つのイットリウムベースのフッ化物結晶相、又は少なくとも１つのイットリウムベースのオキシフッ化物結晶相を含む焼結された組成物を含み、前記フッ化物含有アモルファス相は、前記保護コーティングの約４．５モル％を構成する方法。
【手続補正２】
【補正対象書類名】明細書
【補正対象項目名】００２１
【補正方法】変更
【補正の内容】
【００２１】
コーティングを構成するガラスセラミックスは、膨脹係数を調整可能にし、これによって、基板とコーティング間の差異はゼロに近づく。しかしながら、他の所望の特性が、膨脹係数の差異を減らす試みにおいて犠牲となる場合、上述の変数を制御することによって、基板とコーティング間の遷移領域をインサイチュー（ｉｎ−ｓｉｔｕ）で生成することができることを私たちは発見した。遷移領域は、基板とコーティング間の熱膨張差による応力を放散させるために使用されるかもしれない。更に、遷移領域は、基板とコーティング間により強力な結合を提供するために使用されるかもしれない。コーティングを構成するガラスセラミックスは、少なくとも１つのイットリウムベースのフッ化物結晶相、又は、少なくとも１つのアモルファス相と組み合わされる少なくとも１つのイットリウムベースのオキシフッ化物結晶相を含む。典型的には、アモルファス相はイットリウム及びフッ素を含む。
【手続補正書】
【提出日】平成24年11月9日(2012.11.9)
【手続補正１】
【補正対象書類名】特許請求の範囲
【補正対象項目名】全文
【補正方法】変更
【補正の内容】
【特許請求の範囲】
【請求項１】
被検体の鼾を予防または処置するための組成物であって、黄色ブドウ球菌（Ｓｔａｐｈｙｌｏｃｏｃｃｕｓ  ａｕｒｅｕｓ）に対する免疫応答を刺激して、黄色ブドウ球菌（Ｓ．ａｕｒｅｕｓ）の前記被検体の鼻腔内における感染または定着を抑制または阻害する、黄色ブドウ球菌（Ｓ．ａｕｒｅｕｓ）抗原を含む免疫賦活薬を含む、組成物。
【請求項２】
被検体の睡眠中の呼吸努力関連覚醒を予防または処置するための組成物であって、黄色ブドウ球菌（Ｓｔａｐｈｙｌｏｃｏｃｃｕｓ  ａｕｒｅｕｓ）に対する免疫応答を刺激して、黄色ブドウ球菌（Ｓ．  ａｕｒｅｕｓ）の前記被検体の鼻腔内における感染または定着を抑制または阻害する、黄色ブドウ球菌（Ｓ．ａｕｒｅｕｓ）抗原を含む免疫賦活薬を含む、組成物。
【請求項３】
前記呼吸努力関連覚醒は鼾と関連している、請求項２に記載の組成物。
【請求項４】
前記免疫賦活薬は黄色ブドウ球菌（Ｓ．ａｕｒｅｕｓ）の鼻道の外鼻孔への感染または定着を阻害する、請求項１〜３のいずれか１項に記載の組成物。
【請求項５】
前記抗原は黄色ブドウ球菌（Ｓ．ａｕｒｅｕｓ）に対する特異的な免疫応答を刺激する、請求項１〜４のいずれか１項に記載の組成物。
【請求項６】
前記抗原は黄色ブドウ球菌（Ｓ．ａｕｒｅｕｓ）に対する粘膜の免疫応答を刺激する、請求項１〜５のいずれか１項に記載の組成物。
【請求項７】
被検体の睡眠の質を改善するための組成物であって、黄色ブドウ球菌（Ｓｔａｐｈｙｌｏｃｏｃｃｕｓ  ａｕｒｅｕｓ）に対する免疫応答を刺激して、黄色ブドウ球菌（Ｓ．  ａｕｒｅｕｓ）の前記被検体の鼻腔内における感染または定着を抑制または阻害する、黄色ブドウ球菌（Ｓ．ａｕｒｅｕｓ）抗原を含む免疫賦活薬を含む、組成物。
【請求項８】
前記被検体はヒトである、請求項１〜７のいずれか１項に記載の組成物。
【請求項９】
前記ヒトが大人である、請求項８に記載の組成物。
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
外側シェルと、
該外側シェル内に移動可能に配されたハブと、
該ハブに剛に固定された針と、
前記ハブに配された接着層と、
を具え、前記ハブは、注入時に下方に移動して前記接着層が患者の皮膚に接着するとともに、上方に移動して前記患者の皮膚を隆起させ、前記注入を促進するようにしたことを特徴とするペン針アセンブリ。
【請求項２】
前記外側シェルの内面に配されたタブが前記ハブに配された突起に係合することによって、注入後における前記ハブの上方への移動を阻止し、前記ペン針アセンブリが再使用できなくなるようにしたことを特徴とする請求項１に記載のペン針アセンブリ。
【請求項３】
安全キャップが前記外側シェルに取り外し可能に接続されていることを特徴とする請求項１に記載のペン針アセンブリ。
【請求項４】
注入部位において患者の皮膚に係合するのに適合した第１端を有する外側シェルと、
該外側シェル内に移動可能に配されたハブと、
該ハブに固定され、前記注入部位において前記皮膚を穿孔するための患者側端を有する針と、
前記外側シェル内に配され、薬物供給ペンに係合可能な内側シェルと、
前記外側シェルに接続される第１端および前記内側シェルに接続される第２端を有する第１ばねと、
前記内側シェルに接続される第１端および前記ハブに接続される第２端を有する第２ばねと、
前記移動可能なハブに配され、前記注入部位において前記皮膚に接触して隆起させるための接着層と、
を具えたことを特徴とするペン針アセンブリ。
【請求項５】
安全キャップが前記外側シェルに取り外し可能に接続され、前記針の前記患者側端を覆っていることを特徴とする請求項４に記載のペン針アセンブリ。
【請求項６】
前記ハブと前記内側シェルとの間に留めラッチが配され、該留めラッチが前記内側シェルに係合したときに前記内側シェルに対する前記ハブの移動が阻止されることを特徴とする請求項４に記載のペン針アセンブリ。
【請求項７】
前記内側シェルは、前記留めラッチに係合するロック突起を有することを特徴とする請求項６に記載のペン針アセンブリ。
【請求項８】
前記ハブ上の突起が前記外側シェル上のタブに係合することによって、注入後における前記ハブの上方への移動を阻止し、前記ペン針アセンブリが再使用できなくなるようにしたことを特徴とする請求項４に記載のペン針アセンブリ。
【請求項９】
前記留めラッチが前記内側シェルに係合しているときには、前記第１ばねは前記外側シェルおよび前記内側シェル間で圧縮されていないことを特徴とする請求項６に記載のペン針アセンブリ。
【請求項１０】
前記留めラッチが前記内側シェルに係合しているときには、前記第２ばねは前記内側シェルおよび前記ハブ間で圧縮されていることを特徴とする請求項６に記載のペン針アセンブリ。
【請求項１１】
薬剤カートリッジと、
注入部位において患者の皮膚に係合するのに適合した第１端を有する外側シェルと、
該外側シェル内に移動可能に配されたハブと、
該ハブに固定され、前記注入部位において前記皮膚を穿孔するための患者側端を有する針と、
前記外側シェル内に配され、薬物供給ペンにペン針アセンブリを係合させるのに適合した内側シェルと、
前記外側シェルに接続される第１端および前記内側シェルに接続される第２端を有する第１ばねと、
前記内側シェルに接続される第１端および前記ハブに接続される第２端を有する第２ばねと、
前記移動可能なハブに配され、前記注入部位において前記皮膚に接触して隆起させるための接着層と、
を具えたことを特徴とする薬物供給ペン。
【請求項１２】
安全キャップが前記外側シェルに取り外し可能に接続され、前記針の前記患者側端を覆っていることを特徴とする請求項１１に記載の薬物供給ペン。
【請求項１３】
前記ハブと前記内側シェルとの間に留めラッチが配され、該留めラッチが前記内側シェルに係合したときに前記内側シェルに対する前記ハブの移動が阻止されることを特徴とすることを特徴とする請求項１１に記載の薬物供給ペン。
【請求項１４】
前記内側シェルは、前記留めラッチに係合するロック突起を有することを特徴とする請求項１３に記載の薬物供給ペン。
【請求項１５】
前記ハブ上の突起が前記外側シェル上のタブに係合することによって、注入後における前記ハブの上方への移動を阻止し、前記ペン針アセンブリが再使用できなくなるようにしたことを特徴とする請求項１１に記載の薬物供給ペン。
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
対象の体内に導入して有益な効果を生じさせるための放射状に拡展可能な以下を含むデバイス：
処置部位で組織と接触する上部表面であって、コーティングを含み、該コーティングと相互に作用し、前記処置部位における前記デバイスが放射状に拡展する結果により前記上部表面から剥離する前記コーティングの断片を制御するように設計された１つまたは２つのテクスチャ部を含む上部表面。
【請求項２】
テクスチャ部が断片の大きさ、断片の形および断片の量の少なくとも一つを制御する、請求項１に記載のデバイス。
【請求項３】
テクスチャ部が１つまたは２つの頂部および１つまたは２つの谷部の少なくとも一つを含む、請求項１に記載のデバイス。
【請求項４】
テクスチャ部が１つまたは２つの頂部および谷部を含む、請求項１に記載のデバイス。
【請求項５】
テクスチャ部が１つまたは２つの頂部を含み、該頂部が圧力上昇部を含む、請求項３に記載のデバイス。
【請求項６】
圧力上昇部がコーティングにおける圧力による断裂の開始および伝播を制御する、請求項５に記載のデバイス。
【請求項７】
テクスチャ部が１つまたは２つの平坦部を含む、請求項１に記載のデバイス。
【請求項８】
テクスチャ部が１つまたは２つの頂部、谷部および平坦部を含む、請求項１に記載のデバイス。
【請求項９】
断片が小さいために血栓および塞栓の少なくとも一つを引き起こさない、請求項１に記載のデバイス。
【請求項１０】
コーティングが治療剤を含む、請求項１に記載のデバイス。
【請求項１１】
コーティングが断片の大きさを制御し、断片の幅が１ｍｍを越えない請求項１に記載のデバイス。
【請求項１２】
コーティングが断片の大きさを制御し、断片の幅の最大幅が０．１〜５０ミクロンである請求項１に記載のデバイス。
【請求項１３】
コーティングが断片の大きさを制御し、断片の表面積が１〜１０，０００μｍ２である請求項１に記載のデバイス。
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
創傷被覆物としての使用のための器官培養されている皮膚同等物を保存する方法であって、
上記器官培養されている皮膚同等物、及び包装容器を準備すること、
上記皮膚同等物の処理を行って、上記皮膚同等物中の細胞を成育不能にすること、並びに
上記皮膚同等物の包装を行って、包装されている皮膚同等物を準備することを包含している、方法。
【請求項２】
上記処理の工程は、上記皮膚同等物を無菌状態及び成育不能にするための、上記皮膚同等物に対する放射線照射を包含している、請求項１に記載の方法。
【請求項３】
上記放射線照射はガンマ線照射を用いて行われる、請求項２に記載の方法。
【請求項４】
上記処理の工程は、上記皮膚同等物中の細胞を成育不能にする条件における上記皮膚同等物の乾燥を包含している、請求項１に記載の方法。
【請求項５】
上記乾燥は真空乾燥及び凍結乾燥からなる群から選択される方法によって行われる、請求項４に記載の方法。
【請求項６】
上記処理は包装の前に行われる、請求項１に記載の方法。
【請求項７】
上記処理は包装の後に行われる、請求項１に記載の方法。
【請求項８】
上記処理は、上記皮膚同等物を構成している細胞を成育不能にする条件における上記皮膚同等物の乾燥、及び上記皮膚同等物を無菌状態にする条件における上記皮膚同等物に対する放射線照射を包含している、請求項１に記載の方法。
【請求項９】
上記乾燥の工程が上記包装の前に行われ、上記放射線照射の工程が上記包装の工程の後に行われる、請求項８に記載の方法。
【請求項１０】
上記器官培養された皮膚同等物はＮＩＫＳ細胞を含んでいる、請求項１に記載の方法。
【請求項１１】
上記ＮＩＫＳ細胞は抗菌ポリペプチドをコードしている外来性の核酸配列を含んでいる、請求項１０に記載の方法。
【請求項１２】
上記抗菌ポリペプチドは、ヒトβ−ディフェンシン１、ヒトβ−ディフェンシン２、ヒトβ−ディフェンシン３及びカテリシジンからなる群から選択される、請求項１１に記載の方法。
【請求項１３】
上記抗菌ポリペプチドは、表面抽出溶液の１ミリリットル当たり１０から５００ｎｇの抗菌ポリペプチドの量として供給されている、請求項１１に記載の方法。
【請求項１４】
上記皮膚同等物が湿潤な皮膚同等物の５０％未満の最終的な重量まで乾燥させられる、請求項４に記載の方法。
【請求項１５】
再び湿潤状態になった後の上記皮膚同等物は、２０から３００の初期のＤＰＭ値、及び５から４００の変化するＤＰＭ値を有している、請求項４に記載の方法。
【請求項１６】
再び湿潤状態になった後の上記皮膚同等物は０．１から５．０ＭＰａの引張り強度を有している、請求項４に記載の方法。
【請求項１７】
上記包装容器はヒートシール可能である、請求項１に記載の方法。
【請求項１８】
請求項１に記載の方法によって作製されている、包装されているヒト皮膚同等物。
【請求項１９】
請求項８に記載の方法によって作製されている、包装されている無菌のヒト皮膚同等物。
【請求項２０】
単離されている成育不能なインビトロのヒト皮膚同等物を含んでいる、組成物。
【請求項２１】
上記皮膚同等物は無菌である、請求項２０に記載の組成物。
【請求項２２】
上記無菌の皮膚同等物は放射線照射されている、請求項２１に記載の組成物。
【請求項２３】
上記皮膚同等物は乾燥されている、請求項２０に記載の組成物。
【請求項２４】
皮膚同等物は湿潤な皮膚同等物の重量の５０％未満の重量を有している、請求項２０に記載の組成物。
【請求項２５】
上記皮膚同等物はＮＩＫＳ細胞を含んでいる、請求項２０に記載の組成物。
【請求項２６】
上記ＮＩＫＳ細胞は、外来性のポリペプチドをコードしている外来性の核酸配列を含んでいる、請求項２５に記載の組成物。
【請求項２７】
上記外来性のポリペプチドは抗菌ポリペプチドである、請求項２６に記載の組成物。
【請求項２８】
上記抗菌ポリペプチドは、ヒトβ−ディフェンシン１、ヒトβ−ディフェンシン２、ヒトβ−ディフェンシン３、カテリシジン、及びそれらの組合せからなる群から選択される、請求項２７に記載の組成物。
【請求項２９】
上記抗菌ポリペプチドは、表面抽出溶液の１ミリリットル当たり１０から５００ｎｇの抗菌ポリペプチドの量として供給されている、請求項２８に記載の組成物。
【請求項３０】
再び湿潤状態になった後の上記皮膚同等物は、２０から３００の初期のＤＰＭ値、及び５から４００の変化するＤＰＭ値を有している、請求項２４に記載の組成物。
【請求項３１】
再び湿潤状態になった後の上記皮膚同等物は、０．１から５．０ＭＰａの引張り強度を有している、請求項２４に記載の組成物。
【請求項３２】
包装されている、請求項２０に記載の組成物。
【請求項３３】
創傷を処置するために、上記皮膚同等物が当該創傷に接触する条件において、上記皮膚同等物が当該創傷に対して使用される、請求項２０に記載の組成物。
【請求項３４】
上記皮膚同等物は上記創傷に一時的に使用される、請求項３３に記載の組成物。
【請求項３５】
請求項２０に記載の皮膚同等物を収納している包装容器を含んでいる、キット。
【請求項３６】
上記皮膚同等物は約１ヶ月から約６ヶ月の保存期間を有している、請求項３５に記載のキット。
【請求項３７】
インビトロにおいて器官培養されており、単離されている成育不能な皮膚同等物を含んでいる組成物であって、当該皮膚同等物は湿潤な皮膚同等物の重量の５０％未満の重量を有している、組成物。
【請求項３８】
上記皮膚同等物は、上記皮膚同等物に必須の細胞によって発現される少なくとも１つの外来性の抗菌ポリペプチドを含んでいる、請求項３７に記載の組成物。
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
第１および第２の端部と、中央長手方向軸と、少なくとも２つの延長支柱と前記少なくとも２つの延長支柱のそれぞれの間にあるピークおよび谷の略正弦波構造とを含むワイヤ部分とを備えている環状部分と、
前記環状部分の前記第１の端部から延在する心房部分であって、前記環状部分の前記長手方向軸に対して半径方向外向きに延在する複数のフレアを備えている心房部分と、
前記環状部分の前記第２の端部から延在する心室部分であって、前記環状部分の前記長手方向軸に対して半径方向外向きに延在する少なくとも１つのフレアを備えている心室部分と、を備えている
ことを特徴とする人工心臓弁用ステントフレーム。
【請求項２】
前記フレームは、体腔への経皮的送達および移植のために圧縮可能かつ拡張可能である、
請求項１に記載のステントフレーム。
【請求項３】
前記環状部分、前記心房部分、および前記心室部分のうちの少なくとも１つは、形状記憶材料を含む、
請求項１に記載のステントフレーム。
【請求項４】
前記延長支柱のそれぞれは、前記中央長手方向軸にほぼ平行である方向に延在する、
請求項１に記載のステントフレーム。
【請求項５】
前記心房部分の前記フレアのそれぞれは、前記環状部分のピークから延在する第１の端部と、前記環状部分の隣接するピークから延在する第２の端部と、を有する、
請求項１に記載のステントフレーム。
【請求項６】
前記少なくとも２つの延長支柱のそれぞれは、前記環状部分の２つの隣接するピークから、および前記ステントフレームの前記心室部分へ向かって延在する、
請求項１に記載のステントフレーム。
【請求項７】
前記ステントフレームの内部の中で２つの隣接する延長支柱に取り付けられる第１の弁尖と、前記ステントフレームの前記内部の中で２つの隣接する延長支柱に取り付けられる第２の弁尖と、をさらに備えている、
請求項１に記載のステントフレーム。
【請求項８】
前記ステントフレームの前記内部の中で２つの隣接する延長支柱に取り付けられる第３の弁尖をさらに備えている、
請求項７に記載のステントフレーム。
【請求項９】
前記環状部分、前記心房部分、および前記心室部分は、一体構造を備えている、
請求項１に記載のステントフレーム。
【請求項１０】
前記延長支柱のそれぞれの高さは、前記少なくとも２つの延長支柱のそれぞれの間にある前記略正弦波構造の前記ピークと谷との間の距離より大きい、
請求項１に記載のステントフレーム。
【請求項１１】
第１の延長支柱は、前記ステントフレームの前記心房部分から前記フレームの最遠位点にある間隔があいた基部を含み、前記ステントフレームは、前記ステントフレームの前記環状部分から延在する第１の端部と、前記ステントフレームの前記環状部分から延在する第２の端部と、前記第１の延長支柱の前記基部に隣接するその第１と第２の端部との間にある基部と、を備えている、
請求項１０に記載のステントフレーム。
【請求項１２】
前記第１の支持部材は、前記ステントフレームの前記中央長手方向軸にほぼ平行である方向に延在する、
請求項１１に記載のステントフレーム。
【請求項１３】
前記環状部分、前記心房部分、および前記心室部分のうちの少なくとも１つの少なくとも一部分に取り付けられる被覆材料をさらに含む、
請求項１に記載のステントフレーム。
【請求項１４】
前記被覆材料は、前記延長支柱のそれぞれの幅にわたって延在し、前記被覆材料は、前記延長支柱の前記幅内にある切断線を備えている、
請求項１３に記載のステントフレーム。
【請求項１５】
前記環状部分、前記心房部分、および前記心室部分は、別々のワイヤを含む、
請求項１に記載のステントフレーム。
【請求項１６】
心臓弁プロテーゼであって、
請求項１ないし１５のいずれか１項に記載のステントフレームと、
前記ステントフレームの内部の中で２つの隣接する延長支柱に取り付けられる第１の弁尖と、前記ステントフレームの前記内部の中で２つの隣接する延長支柱に取り付けられる第２の弁尖とを備えている人工心臓弁と、を備えている、
ことを特徴とする弁プロテーゼ。
【請求項１７】
前記環状部分の前記延長支柱は、前記人工弁の交連と並ぶ、
請求項１６に記載の弁プロテーゼ。
【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
動物の糞を回収する器具において、
ハンドル部と、
作業面を有するスコップ部であって、少なくとも前記作業面は除去のために前記糞と接触する、スコップ部と、
少なくとも前記ハンドル部に結合され、かつ、前記スコップ部の前記作業面から前記動物の糞の除去を補助するように構成された噴射器と、
を備え、前記噴射器は、
タンクと、
前記タンクに連通するポンプと、
前記タンク及び前記ポンプに連通する１つ以上の出口であって、前記１つ以上の出口は前記スコップ部の少なくとも前記作業面に近接して位置する１つ以上の出口と、
前記ポンプを起動するように構成されたトリガーであって、これにより、前記１以上の出口を通じて洗浄液を押し出し、前記１つ以上の出口は、前記スコップ部の前記作業面に向けて前記洗浄液を案内するように構成される、トリガーと、
を備え、
前記ハンドルが軸を画定し、前記スコップ部の前記作業面は、前記ハンドルの軸から３０°〜８０°の角度βに位置し、糞は、前記スコップ部が地面から持ち上げられた際に、前記スコップ部の少なくとも前記作業面によって回収され、
前記スコップ部の前記作業面の少なくとも一部は被膜を含み、前記被膜は、動物の排泄物に対して１．０以下の摩擦係数（μ）と９０度以上の接触角とを呈することを特徴とする器具。
【請求項２】
前記被膜が、フルオロポリマーを含むことを特徴とする請求項１に記載の器具。
【請求項３】
前記被膜が、ニッケルを含むことを特徴とする請求項１に記載の器具。
【請求項４】
前記被膜が、モリブデンを含むことを特徴とする請求項１に記載の器具。
【請求項５】
前記被膜が、シリコーンを含むことを特徴とする請求項１に記載の器具。
【請求項６】
比較的洗浄が容易な表面を有するプーパー・スクーパーを構成する方法において、
動物の糞を回収するための器具を用意するステップであって、前記器具は、
ハンドル部と
作業面を有するスコップ部であって、少なくとも前記作業面は除去のために前記糞と接触する、スコップ部と、
少なくとも前記ハンドル部に結合され、かつ、前記スコップ部の前記作業面から前記動物の糞の除去を補助するように構成された噴射器と、
を備え、前記噴射器は、
タンクと、
前記タンクに連通するポンプと、
前記タンク及び前記ポンプに連通する１つ以上の出口であって、前記１つ以上の出口は前記スコップ部の少なくとも前記作業面に近接して位置する１つ以上の出口と、
前記ポンプを起動するように構成されたトリガーであって、これにより、前記１以上の出口を通じて洗浄液を押し出し、前記１つ以上の出口は、前記スコップ部の前記作業面に向けて前記洗浄液を案内するように構成される、トリガーと、
を備え、
前記ハンドル部が軸を画定し、前記スコップ部の前記作業面は、前記ハンドルの軸から３０°〜８０°の角度βに位置し、糞は、前記スコップ部が地面から持ち上げられた際に、前記スコップ部の少なくとも前記作業面によって回収される、動物の糞を回収するための器具を用意するステップと、
動物の排泄物に対して１．０以下の摩擦係数（μ）と９０度以上の接触角とを呈する被覆で前記スコップ部の前記作業面の少なくとも一部をコーティングするステップと、
を備えることを特徴とする方法。
【請求項７】
前記被膜が、フルオロポリマーを含むことを特徴とする請求項６に記載の方法。
【請求項８】
前記被膜が、ニッケルを含むことを特徴とする請求項６に記載の方法。
【請求項９】
前記被膜が、モリブデンを含むことを特徴とする請求項６に記載の方法。
【請求項１０】
前記被膜がシリコーンを含むことを特徴とする請求項６に記載の方法。
【請求項１１】
前記コーティングするステップが、オーバーモールディングを備えることを特徴とする請求項６に記載の方法。
【請求項１２】
前記コーティングするステップが、溶射コーティングを備えることを特徴とする請求項６に記載の方法。
【請求項１３】
前記コーティングするステップが、物理的気相成長法を備えることを特徴とする請求項６に記載の方法。
【請求項１４】
動物の固形排泄物を所定面から回収する方法であって、
動物の固形排泄物を回収するための器具を用意するステップであって、前記器具は、
ハンドル部と
作業面を有するスコップ部であって、少なくとも前記作業面は除去のために前記動物の固定排泄物と接触する、スコップ部と、
少なくとも前記ハンドル部に結合され、かつ、前記スコップ部の前記作業面から前記動物の固定排泄物の除去を補助するように構成された噴射器と、
を備え、前記噴射器は、
タンクと、
前記タンクに連通するポンプと、
前記タンク及び前記ポンプに連通する１つ以上の出口であって、前記１つ以上の出口は前記スコップ部の少なくとも前記作業面に近接して位置する１つ以上の出口と、
前記ポンプを起動するように構成されたトリガーであって、これにより、前記１以上の出口を通じて洗浄液を押し出し、前記１つ以上の出口は、前記スコップ部の前記作業面に向けて前記洗浄液を案内するように構成される、トリガーと、
を備え、
前記ハンドルが軸を画定し、前記スコップ部の前記作業面は、前記ハンドルの軸から３０°〜８０°の角度βに位置し、動物の固形排泄物は、前記スコップ部が地面から持ち上げられた際に、前記スコップ部の少なくとも前記作業面によって回収される、動物の固形排泄物を回収するための器具を用意するステップと、
前記動物の固形排泄物の下に前記スコップ部の少なくとも前記作業面を滑り込ませ、前記スコップ部の少なくとも前記作業面によって前記動物の固形排泄物をコントロールして収容するように前記ハンドルを垂直位置に持ち上げるステップと、
を備え、
前記スコップ部の少なくとも前記作業面が、動物の排泄物に対して１．０以下の摩擦係数（μ）と９０度以上の接触角とを呈する被覆を含むことを特徴とする方法。
【請求項１５】
水または消毒液で前記噴射器によって前記スコップ部の前記作業面を洗浄するステップをさらに備えることを特徴とする請求項１４に記載の方法。
【請求項１６】
前記スコップ部は、ポリスチレン及び／またはアクリロニトリル・ブタジエン・スチレンのうち１つ以上を含む比較的硬い樹脂から成ることを特徴とする請求項１に記載の器具。
【請求項１７】
前記スコップ部は、ポリスチレン及び／またはアクリロニトリル・ブタジエン・スチレンのうち１つ以上を含むことを特徴とする請求項６に記載の方法。
【請求項１８】
前記スコップ部は、ポリスチレン及び／またはアクリロニトリル・ブタジエン・スチレンのうち１つ以上を含むことを特徴とする請求項１４に記載の方法。
【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
中間コンダクタンスカルシウム活性化カリウム（ＳＫ４）チャネルを発現する細胞の細胞融合を調節するための方法であって、前記細胞と、有効量のＳＫ４チャネルインヒビターまたはアクチベーターとを接触させる工程を含み、細胞融合が調節される方法。
【請求項２】
細胞融合が阻害される、請求項１記載の方法。
【請求項３】
細胞が血球系細胞である、請求項１記載の方法。
【請求項４】
細胞が、マクロファージ、樹状細胞およびＢ細胞からなる群より選択される、請求項１記載の方法。
【請求項５】
細胞がマクロファージである、請求項１記載の方法。
【請求項６】
細胞融合が同型または異型融合である、請求項１記載の方法。
【請求項７】
ＳＫ４チャネルインヒビターが、阻害性核酸、モノクローナル抗体および低分子インヒビターからなる群より選択される、請求項１記載の方法。
【請求項８】
阻害性核酸が、配列番号２記載の配列を含むＳＫ４チャネルの発現を標的にする、請求項７の方法。
【請求項９】
モノクローナル抗体が、ＳＫ４チャネルの孔領域または低分子結合ドメインを認識する、請求項７記載の方法。
【請求項１０】
低分子インヒビターが、１−［（２−クロロフェニル）−ジフェニルメチル］−１Ｈ−イミダゾール；２，２−ビス（４−フルオロフェニル）−２−フェニルアセトアミド；１−［（２−クロロフェニル）ジフェニルメチル］−１Ｈ−ピラゾール；１−［（２−フルオロフェニル）ジフェニルメチル］−１Ｈ−ピラゾール；１−［（４−クロロフェニル）ジフェニルメチル］−１Ｈ−ピラゾール；１−［（２−フルオロフェニル）ジフェニルメチル］−１Ｈ−ピラゾール；および１−［（２−クロロフェニル）ジフェニルメチル］−１Ｈ−テトラゾールからなる群より選択される、請求項７記載の方法。
【請求項１１】
低分子インヒビターが１−［（２−クロロフェニル）−ジフェニルメチル］−１Ｈ−イミダゾールである、請求項７記載の方法。
【請求項１２】
低分子インヒビターが２，２−ビス（４−フルオロフェニル）−２−フェニルアセトアミドである、請求項７記載の方法。
【請求項１３】
低分子インヒビターが１−［（２−クロロフェニル）ジフェニルメチル］−１Ｈピラゾールである、請求項７記載の方法。
【請求項１４】
細胞内におけるＳＫ４チャネルの発現または活性をアッセイする工程をさらに含む、請求項７記載の方法。
【請求項１５】
方法がインビボにおける方法であり、そして有効量のＳＫ４チャネルインヒビターが、異常な細胞融合が生じているか、または異常な細胞融合が生じていると思われる被験体に提供される治療上有効な量である、請求項１記載の方法。
【請求項１６】
治療上有効な量の抗炎症剤、抗骨喪失剤、免疫抑制剤または化学療法剤を被験体に同時提供する工程をさらに含む、請求項１５記載の方法。
【手続補正書】
【提出日】平成24年9月28日(2012.9.28)
【手続補正１】
【補正対象書類名】特許請求の範囲
【補正対象項目名】全文
【補正方法】変更
【補正の内容】
【特許請求の範囲】
【請求項１】
複数の使い捨て可能な動物収容ケージ・アセンブリを取付けるラック・システムであって、
蓋体と、フランジ又は溝と、差込口と、弾性的可撓性の表面とを有する使い捨て可能な動物収容アセンブリと、
使い捨て可能な動物収容ケージ・アセンブリを受容且つ支持すべく構成されたノズル及び取付け部材を有するフレームと、を具備し、
前記取付け部材の各々が、使い捨て可能な動物収容ケージ・アセンブリのフランジ部分又は溝部分の表面を摺動可能に受容すべく構成されたフランジ又は溝を有し、
前記ノズルが、前記使い捨て可能な動物収容ケージ・アセンブリの差込口と解除可能に結合するべく構成され、該解除可能な結合は、前記使い捨て可能な動物収容ケージ・アセンブリの表面の弾性的可撓性に依り前記ノズルに対して付勢された前記差込口によるラック・システム。
【請求項２】
前記使い捨て可能な動物収容ケージ・アセンブリの前記差込口が円錐状である請求項１に記載のラック・システム。
【請求項３】
前記使い捨て可能な動物収容ケージ・アセンブリが薄寸のポリマを含む請求項１に記載のラック・システム。
【請求項４】
前記使い捨て可能な動物収容ケージ・アセンブリの前記蓋が弾性的可撓性である請求項１に記載のラック・システム。
【請求項５】
前記蓋が薄寸のポリマを含む請求項４に記載のラック・システム。
【請求項６】
前記使い捨て可能な動物収容ケージ・アセンブリの前記差込口が前記蓋上にある請求項１に記載のラック・システム。
【請求項７】
前記使い捨て可能な動物収容ケージ・アセンブリの前記差込口が前記蓋上にある請求項４に記載のラック・システム。
【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
ｉ）官能性ポリエチレン、官能性ポリプロピレン、エチレン酸コポリマー、イオノマー樹脂、官能性エチレン酢酸ビニル（ＥＶＡ）コポリマーおよび官能性エチレンアルキル（メタ）アクリレートコポリマーからなる群から選択される１つ以上の官能性ポリオレフィンを含む熱可塑性粉末コーティング組成物を提供する工程と、
ｉｉ）前記熱可塑性粉末コーティング組成物を熱可塑性複合材に適用し、前記熱可塑性複合材上で粉末コーティングを形成する工程と
を含む熱可塑性複合材をコーティングする方法。
【請求項２】
請求項１に記載の方法によってコーティングされた熱可塑性複合材を含む物品。
【手続補正２】
【補正対象書類名】明細書
【補正対象項目名】００７３
【補正方法】変更
【補正の内容】
【００７３】
【表２】
2012508089.tif 000001
次に、本発明の態様を示す。
１.  ｉ）官能性ポリエチレン、官能性ポリプロピレン、エチレン酸コポリマー、イオノマー樹脂、官能性エチレン酢酸ビニル（ＥＶＡ）コポリマーおよび官能性エチレンアルキル（メタ）アクリレートコポリマーからなる群から選択される１つ以上の官能性ポリオレフィンを含む熱可塑性粉末コーティング組成物を提供する工程と、
ｉｉ）前記熱可塑性粉末コーティング組成物を熱可塑性複合材に適用し、前記熱可塑性複合材上で粉末コーティングを形成する工程と
を含む熱可塑性複合材をコーティングする方法。
２.  前記熱可塑性複合材が、６０：４０〜１０：９０の比率の熱可塑性材料とガラス繊維材料の混合物から製造される上記１に記載の方法。
３.  前記熱可塑性材料がポリプロピレンである上記２に記載の方法。
４.  前記熱可塑性粉末コーティング組成物の前記１つ以上の官能性ポリオレフィンが有色である上記１〜３のいずれか一項に記載の方法。
５.  前記粉末コーティング組成物の前記官能性ポリオレフィンが、２１６０ｇの重量を使用する１９０℃でのＡＳＴＭ法第Ｄ１２３８号に従い、３００グラム／１０分未満のメルトフローインデックスを有する上記１〜４のいずれか一項に記載の方法。
６.  前記粉末コーティング組成物が、Ｍａｌｖｅｒｎ  Ｍａｓｔｅｒｓｉｚｅｒ  ２０００で実行されたＩＳＯ３３１０−１に従い、８００μｍ以下の粒径（Ｄ９０値）を有する上記１〜５のいずれか一項に記載の方法。
７.  前記粉末コーティング組成物の前記官能性ポリオレフィンが１つ以上のイオノマー樹脂を含む上記１〜６のいずれか一項に記載の方法。
８.  １つ以上のエチレンコポリマーおよび／またはイオノマー樹脂を含む少なくとも１つの追加のコーティング層を添加する工程をさらに含む上記１〜７のいずれか一項に記載の方法。
９.  前記少なくとも１つのさらなるコーティング層が透明コート層である上記８に記載の方法。
１０.  上記１〜９のいずれか一項に記載の方法によってコーティングされた熱可塑性複合材を含む物品。
１１.  車両用途、構造物物品または広告物品に用いられる物品である上記１０に記載の物品。
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
エネルギー源と、
眼に治療を施すためのアプリケータであって、前記アプリケータは遠位端を有し、前記アプリケータは、前記エネルギー源からある程度の量のエネルギーを受け取るよう構成され、前記アプリケータが受け取った前記エネルギーの第１部分は、前記遠位端を通って前記眼へ伝達され、前記アプリケータが受け取った前記エネルギーの第２部分は、前記アプリケータの前記遠位端から反射される、アプリケータと、
反射したエネルギーに対応する信号を検出するよう構成された双方向性結合器であって、前記信号は更に前記遠位端と前記眼との接触量に対応する、双方向性結合器と
を含み、
前記反射されたエネルギーに対応する前記信号は、前記接触量が増加するにつれて変化する電力を有する、
眼の疾患の治療システム。
【請求項２】
前記接触量は非接触を含む、
請求項１に記載のシステム。
【請求項３】
前記反射されたエネルギーに対応する前記信号は電力を有し、前記システムは更に、前記電力が閾値よりも少ないかどうかを判定するよう構成されたコントローラを含む、
請求項１に記載のシステム。
【請求項４】
前記反射されたエネルギーに対応する前記信号は電力を有し、前記システムは更に、前記電力が閾値よりも大きいかどうかを判定するよう構成されたコントローラを含む、
請求項１に記載のシステム。
【請求項５】
前記アプリケータは、
眼に治療を施すために、前記エネルギー源からエネルギーを伝えるよう構成された伝導エレメントと、
前記伝導エレメントに着脱可能に取り付けられるよう構成され、前記眼に配置可能な接触表面を有するカバーであって、前記接触表面の少なくとも一部は１つ以上の誘電体を含み、前記伝導エレメントからの前記エネルギーは、前記接触表面を通って前記眼に送出可能である、カバーと
を含む、
請求項１に記載のシステム。
【請求項６】
前記カバーは、前記伝導エレメントの一部を覆うエンクロージャを形成し、前記アプリケータは更に冷却剤送出システムを含み、前記冷却剤送出システムは、前記カバーの前記接触表面および前記眼を冷却するために、前記エンクロージャ内に冷却剤を送出するよう動作可能であり、前記エンクロージャは前記冷却剤が前記眼と直接接触することを防ぐ、
請求項５に記載のシステム。
【請求項７】
前記双方向性結合器は更に、前記アプリケータが受け取る前記エネルギーに対応する信号を検出するよう構成され、前記信号の少なくとも１つは更に前記冷却剤パルスに対応する、
請求項５に記載のシステム。
【請求項８】
前記アプリケータに供給される前記エネルギーに対応する前記信号は、電力を有し、前記電力は、冷却剤が前記接触表面に送出されると減少する、
請求項７に記載のシステム。
【請求項９】
前記アプリケータの前記遠位端から反射された前記エネルギーに対応する前記信号は、電力を有し、前記電力は、冷却剤が前記接触表面に送出されると増大する、
請求項７に記載のシステム。
【請求項１０】
前記アプリケータの前記遠位端から反射された前記エネルギーに対応する前記信号は、電力を有し、前記電力は、冷却剤が前記接触表面に送出されると減少する、
請求項７に記載のシステム。